【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
除草剤耐性を有し、かつ、昆虫抵抗性の発現を制御するためのトランスジェニックダイズ植物であって、配列番号１４に対して少なくとも９５％の配列同一性を有するＤＮＡ配列を含むゲノムを含むトランスジェニックダイズ植物。
【請求項２】
ダイズイベント９５８２．８１６．１５．１を含むトランスジェニックダイズ植物またはその部位であって、代表的なダイズ種子がＡｍｅｒｉｃａｎ  Ｔｙｐｅ  Ｃｕｌｔｕｒｅ  Ｃｏｌｌｅｃｔｉｏｎに受託番号ＰＴＡ−１２５８８の下で寄託されているダイズイベント９５８２．８１６．１５．１を含む、トランスジェニックダイズ植物またはその部位。
【請求項３】
前記ダイズ植物またはその部位が、配列番号１のｂｐ１２５８〜１２８８；配列番号１のｂｐ１２２３〜１３２３；配列番号１のｂｐ１１７３〜１３７３；配列番号１のｂｐ１０７３〜１４７３；配列番号２のｂｐ１６０〜１９０；配列番号２のｂｐ１２５〜２２５；および配列番号２のｂｐ７５〜２７５からなる群から選択される少なくとも１つのヌクレオチド配列、ならびにその相補物を有するＤＮＡを含む、請求項２に記載のトランスジェニックダイズ植物。
【請求項４】
ダイズイベントｐＤＡＢ９５８２．８１６．１５．１を含むゲノムを含むダイズ種子であって、前記ゲノムがＣｒｙ１Ｆ、Ｃｒｙ１ＡｃおよびＰＡＴ遺伝子を発現するＤＮＡ配列を含み、Ａｍｅｒｉｃａｎ  Ｔｙｐｅ  Ｃｕｌｔｕｒｅ  Ｃｏｌｌｅｃｔｉｏｎに受託番号ＰＴＡ−１２５８８の下で寄託されている、ダイズ種子。
【請求項５】
前記ゲノムが配列番号１のｂｐ１２５８〜１２８８；配列番号１のｂｐ１２２３〜１３２３；配列番号１のｂｐ１１７３〜１３７３；配列番号１のｂｐ１０７３〜１４７３；配列番号２のｂｐ１６０〜１９０；配列番号２のｂｐ１２５〜２２５；および配列番号２のｂｐ７５〜２７５からなる群から選択されるＤＮＡ配列、ならびにその相補物を含む、請求項４に記載のダイズ種子。
【請求項６】
請求項１に記載の植物からのダイズ種子であって、前記ＤＮＡを含むダイズ種子。
【請求項７】
前記トランスジェニックダイズ植物が、シュードプルシア・インクルデンス（Pseudoplusia includens）（ダイズシャクトリムシ）に対して抵抗性であり、かつ、グルホシネート耐性である、請求項１〜３のいずれかに記載のトランスジェニックダイズ植物またはその部位。
【請求項８】
配列番号１４に対して少なくとも９５％の配列同一性を有するＤＮＡ配列を含み、除草剤耐性を有し、かつ、昆虫抵抗性の発現を制御するための、請求項４〜６のいずれかに記載の種子を生長させることによって作出されるトランスジェニックダイズ植物。
【請求項９】
前記ＤＮＡが、配列番号１のｂｐ１２５８〜１２８８；配列番号１のｂｐ１２２３〜１３２３；配列番号１のｂｐ１１７３〜１３７３；配列番号１のｂｐ１０７３〜１４７３；配列番号２のｂｐ１６０〜１９０；配列番号２のｂｐ１２５〜２２５；および配列番号２のｂｐ７５〜２７５からなる群から選択される配列、ならびにその相補物を含む、請求項１に記載のトランスジェニックダイズ植物。
【請求項１０】
配列番号１のｂｐ１２５８〜１２８８；配列番号１のｂｐ１２２３〜１３２３；配列番号１のｂｐ１１７３〜１３７３；配列番号１のｂｐ１０７３〜１４７３；配列番号２のｂｐ１６０〜１９０；配列番号２のｂｐ１２５〜２２５；および配列番号２のｂｐ７５〜２７５からなる群から選択される１つまたは複数の配列を含み、前記配列がダイズイベント９５８２．８１６．１５．１の存在に特徴的である、単離されたＤＮＡ配列。  
【請求項１１】
ダイズイベント９５８２．８１６．１５．１の接合部配列を含むポリヌクレオチドであって、前記接合部配列が配列番号１のｂｐ１２５８〜１２８８；配列番号１のｂｐ１２２３〜１３２３；配列番号１のｂｐ１１７３〜１３７３；配列番号１のｂｐ１０７３〜１４７３；配列番号２のｂｐ１６０〜１９０；配列番号２のｂｐ１２５〜２２５；および配列番号２のｂｐ７５〜２７５からなる群から選択される１つまたは複数の配列、ならびにその相補物を含む、ポリヌクレオチド。
【請求項１２】
請求項２〜７のいずれかに記載のダイズ植物またはその部位に由来する組成物であって、ダイズミール、ダイズ粉、ダイズタンパク質濃縮物、およびダイズ油からなる群から選択される生産品であり、配列番号１のｂｐ１２５８〜１２８８；配列番号１のｂｐ１２２３〜１３２３；配列番号１のｂｐ１１７３〜１３７３；配列番号１のｂｐ１０７３〜１４７３；配列番号２のｂｐ１６０〜１９０；配列番号２のｂｐ１２５〜２２５；および配列番号２のｂｐ７５〜２７５からなる群から選択される１つまたは複数の配列、ならびにその相補物を含むＤＮＡを含む、組成物。
【請求項１３】
花粉、胚珠、花、苗条、根、および葉からなる群から選択され、配列番号１４に対して少なくとも９５％の配列同一性を有するＤＮＡを含む、請求項２に記載のダイズ植物の部位。
【請求項１４】
ダイズ植物に除草剤耐性および２つの昆虫抵抗性形質を遺伝子移入する方法であって、請求項１に記載のダイズ植物を第２のダイズ植物と交雑させて第３のダイズ植物を作出するステップ、および前記第３のダイズ植物を、配列番号１のｂｐ１２５８〜１２８８；配列番号１のｂｐ１２２３〜１３２３；配列番号１のｂｐ１１７３〜１３７３；配列番号１のｂｐ１０７３〜１４７３；配列番号２のｂｐ１６０〜１９０；配列番号２のｂｐ１２５〜２２５；および配列番号２のｂｐ７５〜２７５から選択される１つまたは複数の配列ならびにその相補物を含むＤＮＡの存在についてアッセイするステップとを含む、方法。
【請求項１５】
昆虫をトランスジェニックダイズ植物に曝露させて、それにより昆虫を防除するステップを含む、昆虫を防除する方法であって、前記トランスジェニックダイズ植物が配列番号１のｂｐ１２５８〜１２８８；配列番号１のｂｐ１２２３〜１３２３；配列番号１のｂｐ１１７３〜１３７３；配列番号１のｂｐ１０７３〜１４７３；配列番号２のｂｐ１６０〜１９０；配列番号２のｂｐ１２５〜２２５；および配列番号２のｂｐ７５〜２７５からなる群から選択される配列を含むＤＮＡを含む、方法。
【請求項１６】
前記昆虫がシュードプルシア・インクルデンス（Pseudoplusia includens）（ダイズシャクトリムシ）、アンチカルシア・ゲムマタリス（Anticarsia gemmatalis）（ハッショウマメイモムシ）、スポドプテラ・フルギペルダ（Spodoptera frugiperda）（ツマジロクサヨトウ）およびヘリオチス・ビレセンス（Heliothis virescens）（タバコバッドワーム）から選択される、請求項１５に記載の方法。
【請求項１７】
ダイズ作物において雑草を防除する方法であって、グルホシネート除草剤をダイズ作物に施用するステップを含み、前記ダイズ作物が配列番号１のｂｐ１２５８〜１２８８；配列番号１のｂｐ１２２３〜１３２３；配列番号１のｂｐ１１７３〜１３７３；配列番号１のｂｐ１０７３〜１４７３；配列番号２のｂｐ１６０〜１９０；配列番号２のｂｐ１２５〜２２５；および配列番号２のｂｐ７５〜２７５からなる群から選択される配列を含むＤＮＡを含むダイズ植物を含む、方法。
【請求項１８】
Ｃｒｙ１Ｆ、Ｃｒｙ１ＡｃおよびＰＡＴ遺伝子を発現するＤＮＡ挿入物を含み、前記ＤＮＡ挿入物が配列番号１の５’末端および配列番号２の３’末端に隣接する、請求項１〜３および７〜９のいずれかに記載のトランスジェニックダイズ植物。
【請求項１９】
ダイズの粒、種子、ミール、または粉において害虫を防除する方法であって、前記粒、種子、ミール、または粉が配列番号１のｂｐ１２５８〜１２８８；配列番号１のｂｐ１２２３〜１３２３；配列番号１のｂｐ１１７３〜１３７３；配列番号１のｂｐ１０７３〜１４７３；配列番号２のｂｐ１６０〜１９０；配列番号２のｂｐ１２５〜２２５；および配列番号２のｂｐ７５〜２７５からなる群から選択される１つまたは複数の配列ならびにその相補物を含むＤＮＡを含むことによって実証される、前記粒、種子、ミール、または粉にダイズイベント９５８２．８１６．１５．１を含めるステップを含む方法。
【請求項２０】
請求項１〜３、７〜９および１８のいずれかに記載のトランスジェニックダイズ植物を作出する方法であって、配列番号１４内のＣｒｙ１Ｆ、Ｃｒｙ１ＡｃおよびＰＡＴ遺伝子をコードする配列を含むＤＮＡ配列を用いてダイズ植物を形質転換するステップを含む、方法。
【請求項２１】
除草剤耐性を有し、かつ、昆虫抵抗性の発現を制御するためのトランスジェニックダイズ作物を作出する、請求項１〜３、７〜９および１８のいずれかに記載のトランスジェニックダイズ植物または請求項４〜６のいずれかに記載の種子の使用。
【手続補正２】
【補正対象書類名】明細書
【補正対象項目名】０１８９
【補正方法】変更
【補正の内容】
【０１８９】
本明細書において引用されている刊行物および公開特許文書は全て、個々の刊行物または特許出願が具体的にかつ個別に参照により組み込まれることが示された場合と同じ程度に参照により本明細書に組み込まれる。
本発明は、以下の態様を含む。
[１]
昆虫を昆虫抵抗性ダイズ植物に曝露させて、それにより昆虫を防除するステップを含む、昆虫を防除する方法であって、前記ダイズ植物が配列番号１のｂｐ１２５８〜１２８８；配列番号１のｂｐ１２２３〜１３２３；配列番号１のｂｐ１１７３〜１３７３；配列番号１のｂｐ１０７３〜１４７３；配列番号２のｂｐ１６０〜１９０；配列番号２のｂｐ１２５〜２２５；および配列番号２のｂｐ７５〜２７５からなる群から選択される配列を含むＤＮＡを含み、前記配列が、ダイズイベント９５８２．８１６．１５．１の存在に特徴的である、方法。
[２]
前記昆虫がシュードプルシア・インクルデンス（Pseudoplusia includens）（ダイズシャクトリムシ）である、[１]に記載の方法。
[３]
前記昆虫がアンチカルシア・ゲムマタリス（Anticarsia gemmatalis）（ハッショウマメイモムシ）である、[１]に記載の方法。
[４]
前記昆虫がスポドプテラ・フルギペルダ（Spodoptera frugiperda）（ツマジロクサヨトウ）である、[１]に記載の方法。
[５]
前記昆虫がヘリオチス・ビレセンス（Heliothis virescens）（タバコバッドワーム）である、[１]に記載の方法。
[６]
ダイズ作物において雑草を防除する方法であって、グルホシネート除草剤をダイズ作物に施用するステップを含み、前記ダイズ作物が配列番号１のｂｐ１２５８〜１２８８；配列番号１のｂｐ１２２３〜１３２３；配列番号１のｂｐ１１７３〜１３７３；配列番号１のｂｐ１０７３〜１４７３；配列番号２のｂｐ１６０〜１９０；配列番号２のｂｐ１２５〜２２５；および配列番号２のｂｐ７５〜２７５からなる群から選択される配列を含むＤＮＡを含むダイズ植物を含み、前記配列がダイズイベント９５８２．８１６．１５．１の存在に特徴的である、方法。
[７]
配列番号１のｂｐ１２５８〜１２８８；配列番号１のｂｐ１２２３〜１３２３；配列番号１のｂｐ１１７３〜１３７３；配列番号１のｂｐ１０７３〜１４７３；配列番号２のｂｐ１６０〜１９０；配列番号２のｂｐ１２５〜２２５；および配列番号２のｂｐ７５〜２７５からなる群から選択される１つまたは複数の配列を含む単離されたＤＮＡ配列。
[８]
ダイズ植物を育種する方法であって、
第１のダイズ植物と第２のダイズ植物を交雑させて第３のダイズ植物を作出するステップであり、前記第１のダイズ植物が配列番号１の１２５８〜１２８８；配列番号１のｂｐ１２２３〜１３２３；配列番号１のｂｐ１１７３〜１３７３；配列番号１のｂｐ１０７３〜１４７３；配列番号２のｂｐ１６０〜１９０；配列番号２のｂｐ１２５〜２２５；および配列番号２のｂｐ７５〜２７５からなる群から選択される１つまたは複数の配列、ならびにその相補物を含むＤＮＡを含む、ステップと、前記第３のダイズ植物を、配列番号１のｂｐ１２５８〜１２８８；配列番号１のｂｐ１２２３〜１３２３；配列番号１のｂｐ１１７３〜１３７３；配列番号１のｂｐ１０７３〜１４７３；配列番号２のｂｐ１６０〜１９０；配列番号２のｂｐ１２５〜２２５；および配列番号２のｂｐ７５〜２７５からなる群から選択される１つまたは複数の配列およびその相補物を含むＤＮＡの存在についてアッセイするステップとを含む方法。
[９]
配列番号１のｂｐ１２５８〜１２８８；配列番号１のｂｐ１２２３〜１３２３；配列番号１のｂｐ１１７３〜１３７３；配列番号１のｂｐ１０７３〜１４７３；配列番号２のｂｐ１６０〜１９０；配列番号２のｂｐ１２５〜２２５；および配列番号２のｂｐ７５〜２７５からなる群から選択される少なくとも１つの配列およびその相補物を含む接合部配列を含む単離されたＤＮＡ分子。
[１０]
シュードプルシア・インクルデンス（Pseudoplusia includens）（ダイズシャクトリムシ）に対して抵抗性であり、配列番号１のｂｐ１２５８〜１２８８；配列番号１のｂｐ１２２３〜１３２３；配列番号１のｂｐ１１７３〜１３７３；配列番号１のｂｐ１０７３〜１４７３；配列番号２のｂｐ１６０〜１９０；配列番号２のｂｐ１２５〜２２５；および配列番号２のｂｐ７５〜２７５からなる群から選択される少なくとも１つのヌクレオチド配列およびその相補物を有するＤＮＡを含む、ダイズ植物またはその部位。
[１１]
[１０]に記載の植物の種子。
[１２]
ダイズミール、ダイズ粉、ダイズタンパク質濃縮物、およびダイズ油からなる群から選択される生産品である、[６]に記載のダイズ植物またはその部位に由来する組成物。
[１３]
ダイズの粒、種子、ミール、または粉において害虫を防除する方法であって、前記粒、種子、ミール、または粉が配列番号１のｂｐ１２５８〜１２８８；配列番号１のｂｐ１２２３〜１３２３；配列番号１のｂｐ１１７３〜１３７３；配列番号１のｂｐ１０７３〜１４７３；配列番号２のｂｐ１６０〜１９０；配列番号２のｂｐ１２５〜２２５；および配列番号２のｂｐ７５〜２７５からなる群から選択される１つまたは複数の配列およびその相補物を含むＤＮＡを含むことによって実証される、前記粒、種子、ミール、または粉にダイズイベント９５８２．８１６．１５．１を含めるステップを含む方法。
[１４]
ゲノム内に、配列番号１のｂｐ１２５８〜１２８８；配列番号１のｂｐ１２２３〜１３２３；配列番号１のｂｐ１１７３〜１３７３；配列番号１のｂｐ１０７３〜１４７３；配列番号２のｂｐ１６０〜１９０；配列番号２のｂｐ１２５〜２２５；配列番号２のｂｐ７５〜２７５からなる群から選択されるＤＮＡ配列；ならびにその相補物を含むダイズ種子。
[１５]
[１４]に記載のダイズ種子から生長させたダイズ植物。
[１６]
花粉、胚珠、花、苗条、根、および葉からなる群から選択され、前記ダイズイベント９５８２．８１６．１５．１を含む、[１５]に記載のダイズ植物の部位。
[１７]
ダイズミール、ダイズ粉（soybean flour）、およびダイズ油（soybean oil）からなる群から選択される生産品である、[１５]に記載のダイズ植物またはその部位に由来する組成物。
[１８]
配列番号１４に対して少なくとも９５％の配列同一性を有するＤＮＡ配列を含むトランスジェニックダイズ植物。
[１９]
ダイズイベント９５８２．８１６．１５．１を含むトランスジェニックダイズ植物またはその部位であって、代表的なダイズ種子がＡｍｅｒｉｃａｎ  Ｔｙｐｅ  Ｃｕｌｔｕｒｅ  Ｃｏｌｌｅｃｔｉｏｎに受託番号ＰＴＡ−１２５８８の下で寄託されているダイズイベント９５８２．８１６．１５．１を含む、トランスジェニックダイズ植物またはその部位。